(57)【要約】【課題】  住宅の軒先の改修時に既設の軒樋と簡単に接続することができる軒樋の接続構造を提供することを目的とする。【解決手段】軒樋１Ｃ、２Ｃの端部の耳部１２ｃ、２２ｃを軒樋継手Ａの耳把持部３に嵌合した状態で軒樋１Ｃ、２Ｃが軒樋継手Ａで接続されている軒樋の接続構造において、軒樋２Ｃは、耳部２２ｃに軒樋の長手方向に沿って中空部２３ｃが形成されおり、この中空部２３ｃに隙間調整部材４を係脱自在に取付けた状態で軒樋２Ｃの耳部２２ｃを隙間調整部材４と共に軒樋継手Ａの耳把持部３に嵌合させる。【選択図】      図１  
2005097940.tif 000002
【特許請求の範囲】
【請求項１】
軒樋端部の耳部を軒樋継手の耳把持部に嵌合した状態で軒樋が軒樋継手で接続されている軒樋の接続構造において、軒樋は、耳部に軒樋の長手方向に沿って中空部が形成されおり、耳部の中空部に隙間調整部材を係脱自在に取付けた状態で軒樋の耳部を隙間調整部材と共に軒樋継手の耳把持部に嵌合させていることを特徴とする軒樋の接続構造。
【発明の詳細な説明】
【技術分野】
【０００１】
本発明は、軒樋の端部を軒樋継手で相互に接続する軒樋の接続構造に関する。
【背景技術】
【０００２】
従来から、耳把持部を有する外継手と耳把持部を有さない内継手とを相互に間隔を開けて結合してその両端部に側方に開口した軒樋端部挿入溝を形成してなる軒樋継手は知られている。
【０００３】
このような従来の軒樋継手は、屋根の軒先において、両側の軒樋端部挿入溝に各々側方から同一メーカーの同一規格の軒樋の端部が挿入嵌合され、両軒樋の端部が相互に接続されるものである。（例えば、特許文献１参照。）。
【０００４】
ところで、住宅の軒先の改修時に既設の軒樋の一部を取り外して新品の軒樋と交換する等の補修を行うことがことがある。この場合、既設軒樋と同一規格のものを新品の軒樋として用意する必要があるが、既設軒樋と同一規格の軒樋や軒樋継手等の部材に在庫が無いことがある。そのため、既設軒樋と略同じ寸法、形状かまたは異なる断面形状を有する新規の軒樋を用いて既設軒樋と接続することがある。
【特許文献１】実開平４−４７０２０号公報（第１２図）
【発明の開示】
【発明が解決しようとする課題】
【０００５】
しかしながら、新規の軒樋や軒樋継手において、その本体部が既設軒樋と寸法、形状の規格が類似したものであっても、耳部の形状、寸法が異なったりすると、既設の軒樋は新規の軒樋継手を介して接続することができなかった。
【０００６】
例えば、図９に示すように半丸形状の軒樋（通称：半丸軒１０５）の場合、どのメーカー（Ａ社、Ｂ社  ・・・  ）の軒樋も、耳部以外は形状・寸法に殆ど差異がなく、軒樋本体部の円弧部分が接続可能であっても、軒樋継手の耳把持部の嵌合寸法に余裕を持たせると、軒樋の耳部の寸法が小さい場合は、軒樋継手の耳把持部に軒樋の耳部を嵌合させてもがたついて外れ易く接続することができなかった。
【０００７】
本発明は、このような事情に鑑みて、住宅の軒先の改修時に既設の軒樋と簡単に接続することができる軒樋の接続構造を提供することを目的としている。
【課題を解決するための手段】
【０００８】
このような目的を達成するために、請求項１に記載の発明に係わる軒樋の接続構造は、軒樋端部の耳部を軒樋継手の耳把持部に嵌合した状態で軒樋が軒樋継手で接続されている軒樋の接続構造において、軒樋は、耳部に軒樋の長手方向に沿って中空部が形成されおり、耳部の中空部に隙間調整部材を係脱自在に取付けた状態で軒樋の耳部を隙間調整部材と共に軒樋継手の耳把持部に嵌合させていることを特徴とした。
【発明の効果】
【０００９】
本発明軒樋の接続構造によれば、軒樋端部の耳部を軒樋継手の耳把持部に嵌合した状態で軒樋が軒樋継手で接続されている軒樋の接続構造において、軒樋は、耳部に軒樋の長手方向に沿って中空部が形成されおり、耳部の中空部に隙間調整部材を係脱自在に取付けた状態で軒樋の耳部を隙間調整部材と共に軒樋継手の耳把持部に嵌合させているので、住宅の軒先の改修時に既設の軒樋と寸法差があっても、軒樋継手の耳把持部にがたつくことがなく確実に接続することができる。
【発明を実施するための最良の形態】
【００１０】
次に、本発明の実施の形態の一例を、図１〜図８に基づいて説明する。  
【００１１】
図１〜図８は、本発明軒樋の接続構造の実施の形態における実施例を説明する図である。
図において、図１は本発明の実施例における軒樋の接続構造を示す分解斜視図、図２は同じく軒樋の接続構造の一部破断正面図、図３は図２におけるＤ−Ｄ線断面図、図４は図２におけるＥ−Ｅ線断面図、図５は本発明の実施例において使用される軒樋継手の斜視図、図６は本発明の実施例において使用される一方の軒樋を示す側面図、図７は本発明の実施例において使用される他方の軒樋を示す側面図、図８は本発明の実施例に使用される隙間調整部材を示す図で、同図(a) は側面図、同図(b) は断面図である。
【００１２】
図１〜図２において、この軒樋の接続構造は、双方の軒樋１Ｃ、２Ｃの端部が軒樋継手Ａに接続されたものであって、軒樋１Ｃの耳部１２ｃと軒樋２Ｃの耳部２２ｃを軒樋継手Ａの耳把持部３に嵌合した状態でそれぞれの軒樋１Ｃ、２Ｃが接続されている。
【００１３】
上記軒樋１Ｃ、２Ｃのうち、他方の軒樋２Ｃの耳部２２ｃは軒樋の長手方向に沿って中空部２３ｃが形成されおり、耳部２２ｃの中空部２３ｃに隙間調整部材４が係脱自在に取付けられた状態で、軒樋２Ｃの耳部２２ｃが隙間調整部材４と共に軒樋継手Ａの耳把持部３に嵌合されている。
【００１４】
軒樋継手Ａは、図３〜図５にも示すように、軒樋１Ｃ、２Ｃの外周面に沿うように半円形の樋状に屈曲して形成された継手本体１０Ａと、この継手本体１０Ａの両側壁部２の上端部に耳把持部３が設けられており、軒樋の耳部の形状、寸法が異なっても同一規格の半円形状の軒樋（通称；半丸軒１０５）であれば両側方から接続可能となっている。
【００１５】
そして、上記耳把持部３は断面Ｃ字状の形状に形成され継手本体１０Ａの両側壁部２の上端部で内方に開口した状態で一体に形成されており、しかも、接続しようとする軒樋１Ｃの規格に近似した形状寸法とされているが、余裕をもって大きめの形状寸法とされている。
【００１６】
本実施例においては、両側方から接続される一方の軒樋（既設の軒樋）として、図６に示すような半円形状の軒樋本体１１ｃの両側上縁端部に半円形の耳部１２ｃが外向きに突出して形成された半丸型の軒樋１Ｃを用いており、また、他方の軒樋（新規の軒樋）として、図７に示すような半円形状の軒樋本体２１ｃの両側上縁端部に円形の耳部２２ｃが外向きに突出して形成された半丸型の軒樋２Ｃを用いた。この円形の耳部２２ｃは軒樋２Ｃの長手方向に沿って中空部２３ｃが形成されている。
【００１７】
隙間調整部材４は、図８に示すように、軒樋１Ｃの耳部２２ｃに形成された中空部２３ｃに嵌着し得る円柱形状の取付基部４１と、軒樋継手Ａの耳把持部３の内周面と軒樋２Ｃの耳部２２ｃの上縁面との間に生じる隙間を埋めることができる形状の埋設部材４２とが結合部４３を介して結合されており、取付基部４１と埋設部材４２と間は耳部２２ｃの管壁が嵌まり込むように、耳部２２ｃの壁厚ｔと略同じ寸法の隙間４４が形成されている。また、取付基部４１は挿入先端側が先細りとなっており、取付基部４１を耳部２２ｃの中空部２３ｃに挿着するときに中空部２３ｃ内に挿入し易くなっている。
【００１８】
このような隙間調整部材４を用いて軒樋１Ｃ、２Ｃを軒樋継手Ａに接続する手順について、図１〜図２に基づいて説明する。
先ず、改修時に取り替えようとする既設の軒樋や軒樋継手を軒先から取り外して、残された既設の一方の半丸型の軒樋１Ｃの端部に、新規の軒樋継手Ａを配設して軒樋継手Ａの内側に軒樋１Ｃの端部を挿入し嵌合する。
【００１９】
このとき、軒樋１Ｃの端部の外周面に沿って軒樋継手Ａの継手本体１０Ａが外側から密着すると共に、軒樋１Ｃの両耳部１２ｃが軒樋継手Ａの耳把持部３に挿入し嵌合することになる。
【００２０】
続いて、既設の軒樋１Ｃに取り付けられた軒樋継手Ａの他方側に新規の半丸型の軒樋２Ｃを配設して、軒樋２Ｃの耳部２２ｃの中空部２３ｃに隙間調整部材４の取付基部４１を挿着してから、上記軒樋１Ｃを軒樋継手Ａに接続したときと同じようにして、軒樋２Ｃの端部の外周面に沿って軒樋継手Ａの継手本体１０Ａを外側から密着させ、軒樋２Ｃの両耳部２２ｃを隙間調整部材４と併せて軒樋継手Ａの耳把持部３に挿入し嵌合する。
【００２１】
このように、既設の軒樋１Ｃの耳部２１ｃと比べて新規な軒樋２Ｃの耳部２２ｃが小さめであっても、図２、図４に示すように、既設の軒樋１Ｃと新規の軒樋２Ｃとを軒樋継手Ａにがたつくことなく簡単にかつ外観が見栄えよく接続することができる。
【００２２】
以上、本発明の実施の形態を図面により詳述してきたが、具体的な形態はこの実施の形態に限られものではなく、本発明の要旨を逸脱しない範囲における設計の変更等があっても本発明に含まれる。
【００２３】
例えば、隙間調整部材４が挿着される軒樋２Ｃの耳部２２ｃの端縁には、隙間調整部材４の結合部４３が嵌まり込むように、スリット状の切り欠き部を形成してもよい。
このように耳部２ｃの端縁にスリット状の切り欠き部を形成すると、軒樋１Ｃの端部と軒樋２Ｃの端部とを突き合わせた状態で接続しても、接続端部において隙間を生じることがない。
【図面の簡単な説明】
【００２４】
【図１】本発明軒樋の接続構造の実施形態における実施例を示す分解斜視図である。
【図２】同上軒樋の接続構造の一部破断正面図である。
【図３】図２におけるＤ−Ｄ線断面図である。
【図４】図２におけるＥ−Ｅ線断面図である。
【図５】本発明の実施例に使用される軒樋継手を示す斜視図である。
【図６】本発明の実施例に使用される一方の軒樋を示す側面図である。
【図７】本発明の実施例に使用される他方の軒樋を示す側面図である。
【図８】本発明の実施例に使用される隙間調整部材を示す図で、同図(a) は側面図、同図(b) は断面図である。
【図９】本発明軒樋の接続構造において使用される軒樋の寸法関係を示した説明図である。
【符号の説明】
【００２５】
Ａ              軒樋継手
１０Ａ          継手本体
２              側壁部
３              耳把持部
１Ｃ            一方の軒樋（既設の軒樋）  
２Ｃ            他方の軒樋（新設の軒樋）
２２ｃ          耳部
２３ｃ          中空部
４              隙間調整部材
４１            取付基部
４２            埋設部
【図１】
2005097940.tif 000003
【図２】
2005097940.tif 000004
【図３】
2005097940.tif 000005
【図４】
2005097940.tif 000006
【図５】
2005097940.tif 000007
【図６】
2005097940.tif 000008
【図７】
2005097940.tif 000009
【図８】
2005097940.tif 000010
【図９】
2005097940.tif 000011